【事件の表示】
　特願２０１２−　５８８２３「電子機器」拒絶査定不服審判事件〔平成２４年　８月　９日出願公開，特開２０１２−１５１８８３〕について，次のとおり審決する。
【結　論】
　本件審判の請求は，成り立たない。
【理　由】
第１　手続の経緯
　本願は，平成１９年５月３０日を出願日とする特願２００７−１４３１５４号（以下「原出願」という。）の一部を平成２４年３月１５日に新たな特許出願としたものであって，その手続の経緯は以下のとおりである。
　平成２４年　３月１５日　審査請求
　平成２５年　３月　４日　拒絶理由通知
　平成２５年　５月１３日　意見書・手続補正書
　平成２５年１０月　１日　拒絶査定
　平成２５年１２月２７日　審判請求
　平成２６年　８月２９日　拒絶理由通知
　平成２６年１１月　４日　意見書
　
第２　本願発明の容易想到性について
１　本願発明
　本願の請求項１に係る発明（以下「本願発明」という。）は，平成２５年５月１３日付け手続補正書により補正された，特許請求の範囲の請求項１に記載された次のとおりのものと認める。
「【請求項１】
　音声信号に基づいて音を発する置き台側発音手段を有する置き台に載置可能な電子機器であって，
　前記電子機器は，音声信号に基づいて音を発する電子機器側発音手段を有し，
　前記電子機器は，前記置き台側発音手段で音を発する場合と，前記電子機器側発音手段で音を発する場合とで，音質が近似するよう前記音声信号の周波数特性を調整することを特徴とする電子機器。」
　
２　引用文献の記載と引用発明及び周知技術
（１）引用文献１の記載と引用発明
　ア　引用文献１
　審判合議体が平成２６年８月２９日付けで通知した拒絶理由通知（以下「当審拒絶理由通知」という。）で引用された，原出願の出願日前に日本国内において頒布された刊行物である，特開２００５−３４１３２９号公報（以下「引用文献１」という。）には，図１ないし３とともに，次の記載がある。（当審注．下線は当審において付加した。以下同じ。） 
（ア）「【技術分野】
【０００１】
　
本発明は，携帯電話端末から出力されるオーディオ再生信号を外部スピーカシステムによって音声に変換して出力する携帯電話システムに関する
【背景技術】
【０００２】
　近年，携帯電話端末は高機能化が進んでおり，内蔵メモリまたは装脱着可能な記憶媒体に格納されている音楽データを再生することができる携帯電話端末が実用化されている。しかしながら，携帯電話端末に内蔵されている小型スピーカによる音声出力では高音質の出力が得られないという問題があった。このような問題を解決する手段として，
携帯電話端末がセットされると携帯電話端末内部のバッテリを充電する充電装置に音響特性が優れているスピーカを設け，その充電装置に携帯電話端末がセットされると携帯電話端末から出力されるオーディオ再生信号を充電装置に設けられたスピーカが音声に変換して出力するというシステム
・・・
【発明の開示】
【発明が解決しようとする課題】
【０００３】
　ところが，
携帯電話端末に内蔵されているスピーカと外部スピーカ（充電装置に設けられたスピーカ）とではスピーカの位置，性能，ユーザの使用環境等が異なるため
携帯電話端末から出力されるオーディオ再生信号を充電装置に設けられたスピーカが音声に変換して出力する場合に，ユーザがキー操作によって音量などの設定を変更しなければならず，煩わしいという問題点があった
【０００４】
　
本発明は，上記の問題点に鑑み，音楽データの再生音を高音質で出力でき
携帯電話システムを提供することを目的とする
・・・
【発明の効果】
【００１３】
　
本発明によると，音楽データの再生音を高音質で出力でき
（イ）「【発明を実施するための最良の形態】
【００１４】
　本発明の一実施形態について図面を参照して以下に説明する。本発明に係る携帯電話システムの概略構成例を図１に示す。図１に示す本発明に係る携帯電話システムは，
携帯電話端末１００と外部スピーカシステム２００とから成る
【００１５】
　
携帯電話端末１００は
各種設定及び音楽データを記憶する記憶部４と
携帯電話端末１００全体を制御する制御部５と
着信音，音楽データの再生音，受話音声などを出力するスピーカ８と
オーディオ再生信号を外部に出力するオーディオ出力端子１３とを備えている
【００１６】
　・・・また，
携帯電話端末１００では，音楽データの再生時において，制御部５が，記憶部４に記憶されている音楽データを読み出し
その音楽データを後述する再生設定値で再生してオーディオ再生信号を生成し
携帯電話端末１００と外部スピーカシステム２００との電気接続を検出している場合はオーディオ出力端子１３に前記オーディオ再生信号を出力し
携帯電話端末１００と外部スピーカシステム２００との電気的接続を検出していない場合はスピーカ８またはイヤホンジャック９に前記オーディオ再生データを出力する
【００１７】
　
外部スピーカシステム２００は
オーディオ入力端子１５と
スピーカ１８とを備えている
充電端子１４ａ及び１４ｂは，携帯電話端末１００と外部スピーカシステム２００とが電気的に接続されたときにそれぞれ充電端子１１ａ及び１１ｂに電気的に接続される
オーディオ入力端子１５は，携帯電話端末１００と外部スピーカシステム２００とが電気的に接続されたときにオーディオ出力端子１３に電気的に接続される
入力されたオーディオ再生信号は
スピーカ１８によって音声に変換されて出力される
オーディオ入力端子１５に入力されたオーディオ再生信号が直接スピーカ１８に供給される構成にしてもよい
（ウ）「【００１８】
　次に，携帯電話端末１００における再生設定値の設定動作について図２に示すフローチャートを参照して説明する。ユーザが表示部６の表示を参照しながらキー入力部３を操作して，再生設定値の設定項目を選択すると，携帯電話端末１００は図２に示すフローチャートの動作を開始する。
・・・
【００２２】
　なお，
上述した再生設定値の設定動作が一度も行われていない場合は，再生設定値（外部スピーカ用の高音ボリューム値，外部スピーカ用の低音ボリューム値，内部スピーカ用の高音ボリューム値，及び内部スピーカ用の低音ボリューム値）は，工場出荷時に予め記憶部４に記憶されているデフォルト値となる
【００２３】
　次に，携帯電話端末１００における再生モードの自動切り替え動作について図３のフローチャートを参照して説明する。
ユーザがキー入力部３を操作して携帯電話端末１００の電源がオンになると，携帯電話端末１００は図３に示すフローチャートの動作を開始する
【００２４】
　先ず，
制御部５は，携帯電話端末１００と外部スピーカシステム２００との電気的接続を検出しているか否かを判定する
携帯電話端末１００と外部スピーカシステム２００との電気的接続を検出していれば
ステップＳ７０に移行する
携帯電話端末１００と外部スピーカシステム２００との電気的接続を検出していなければ
ステップＳ９０に移行する
【００２５】
　ステップＳ７０では，制御部５は，記憶部４から読みとった情報に基づいて，外部スピーカ用の再生設定値を使用するモードに設定されているか否かを判定する。・・・
【００２６】
　
外部スピーカ用の再生設定値を使用するモードに設定されていれば（ステップＳ７０のＹｅｓ），後述するステップＳ８０に移行する
【００２７】
　ステップＳ８０では，
制御部５が音楽データを外部スピーカ用の再生設定値で再生してオーディオ再生信号を生成し，そのオーディオ再生信号をオーディオ出力端子１３に出力するモードにする
【００２８】
　ステップＳ９０では，
制御部５が音楽データを内部スピーカ用の再生設定値で再生してオーディオ再生信号を生成し，そのオーディオ再生信号をスピーカ８
に出力するモードにする
・・・
【００３１】
　また，上述した実施形態では，図３のフローチャートにおいて，外部スピーカ用の再生設定値を使用するモードに設定されているか否かを判定するステップＳ３０（当審注．「ステップＳ７０」の誤記と認める。以下同じ。）を設けたが，ステップＳ３０は設けなくても構わない。ステップＳ３０を設けない場合，
携帯電話端末１００と外部スピーカシステム２００との電気的接続が検出されれば，必ず外部スピーカ用の再生設定値で再生を行うモードになる
　イ　引用発明
（ア）上記ア（ア）によれば，引用文献１には，従来技術について，携帯電話端末がセットされると携帯電話端末内部のバッテリを充電する充電装置に音響特性が優れているスピーカを設け，その充電装置に携帯電話端末がセットされると携帯電話端末から出力されるオーディオ再生信号を充電装置に設けられたスピーカが音声に変換して出力する旨の記載がある。
　そして，上記ア（イ）より，引用文献１には，オーディオ入力端子１５に入力されたオーディオ再生信号が音声に変換されて出力されるスピーカ１８を備える外部スピーカシステム２００に，携帯電話端末１００が電気的に接続されること，及びそれによって，上記外部スピーカシステム２００の充電端子１４ａ及び１４ｂ，並びにオーディオ入力端子１５に，上記携帯電話端末１００の充電端子１１ａ及び１１ｂ，並びにオーディオ出力端子１３が，それぞれ電気的に接続されることが記載されていると認められるから，引用文献１に記載の上記外部スピーカシステム２００は，上記携帯電話端末１００の充電装置でもあると認められる。
　そうすると，上記ア（ア）及び（イ）から，引用文献１には，オーディオ入力端子１５に入力されたオーディオ再生信号が音声に変換されて出力されるスピーカ１８を備える外部スピーカシステム２００にセットされる携帯電話端末１００が，記載されていると認められる。
（イ）上記ア（イ）によれば，引用文献１には，携帯電話端末１００は，着信音，音楽データの再生音，受話音声などを出力するスピーカ８を備えることが記載されている。
（ウ）上記ア（イ）及び（ウ）によれば，引用文献１には，携帯電話端末１００は，再生設定値及び音楽データを記憶する記憶部４を備えること，並びに上記記憶部４には，再生設定値として外部スピーカ用の高音ボリューム値，外部スピーカ用の低音ボリューム値，内部スピーカ用の高音ボリューム値，及び内部スピーカ用の低音ボリューム値が記憶されることが，それぞれ記載されている。
　また，上記ア（イ）及び（ウ）によれば，引用文献１には，携帯電話端末１００は，当該携帯電話端末１００全体を制御する制御部５を備えることが記載されている。
　そして，上記ア（イ）及び（ウ）より，引用文献１には，上記制御部５は，携帯電話端末１００と外部スピーカシステム２００との電気的接続を検出していれば，音楽データを外部スピーカ用の再生設定値で再生してオーディオ再生信号を生成し，そのオーディオ再生信号を上記携帯電話端末１００のオーディオ出力端子１３に出力すること，及び上記オーディオ再生信号は上記外部スピーカシステム２００のオーディオ入力端子１５に入力され，スピーカ１８から出力されることが，それぞれ記載されていると認められる。
　さらに，上記ア（イ）及び（ウ）より，引用文献１には，上記制御部５は，携帯電話端末１００と外部スピーカシステム２００との電気的接続を検出していなければ，音楽データを内部スピーカ用の再生設定値で再生してオーディオ再生信号を生成し，そのオーディオ再生信号を上記携帯電話端末１００のスピーカ８に出力することも記載されていると認められる。
　そうすると，引用文献１には，携帯電話端末１００は，外部スピーカシステム２００との電気的接続を検出していれば，音楽データを外部スピーカ用の高音ボリューム値及び低音ボリューム値で再生してオーディオ再生信号を生成し，そのオーディオ再生信号は上記外部スピーカシステム２００のスピーカ１８から出力されるようにし，上記外部スピーカシステム２００との電気的接続を検出していなければ，音楽データを内部スピーカ用の高音ボリューム値及び低音ボリューム値で再生してオーディオ再生信号を生成し，そのオーディオ再生信号を上記携帯電話端末１００のスピーカ８に出力することが記載されていると認められる。
（エ）以上によれば，引用文献１には，次の発明（以下「引用発明」という。）が記載されていると認められる。
「オーディオ入力端子１５に入力されたオーディオ再生信号が音声に変換されて出力されるスピーカ１８を備える外部スピーカシステム２００にセットされる携帯電話端末１００であって，
　上記携帯電話端末１００は，着信音，音楽データの再生音，受話音声などを出力するスピーカ８を備え，
　上記携帯電話端末１００は，外部スピーカシステム２００との電気的接続を検出していれば，音楽データを外部スピーカ用の高音ボリューム値及び低音ボリューム値で再生してオーディオ再生信号を生成し，そのオーディオ再生信号は上記外部スピーカシステム２００のスピーカ１８から出力されるようにし，上記外部スピーカシステム２００との電気的接続を検出していなければ，音楽データを内部スピーカ用の高音ボリューム値及び低音ボリューム値で再生してオーディオ再生信号を生成し，そのオーディオ再生信号を上記携帯電話端末１００のスピーカ８に出力する，
　携帯電話端末１００。」
　
（２）引用文献２ないし５，及び周知技術
　ア　引用文献２
　当審拒絶理由通知で引用された，原出願の出願日前に日本国内において頒布された刊行物である，特開平５−３４４５８３号公報（以下「引用文献２」という。）には，図１及び図２とともに，次の記載がある。 
　・「【０００３】
【発明が解決しようとする課題】上記した
小型電子機器においては内部スピーカ１０が小型・薄形であり，その音質特性は高音域が強調され低音域が欠けたものになる。このため高音域のノイズが耳障りとなり，また音声が歪む
・・・
【０００５】本発明はこのような課題に鑑みなされたものであり，
小型・薄形の内部スピーカに対しては高音領域がカットされ，あるいはさらに低音領域が拡大された周波数特性の信号を送り出すとともに，外部スピーカに対しては増幅器からの信号をそのまま送り出すことができ，内部スピーカ音が聴き易く，また外部スピーカの利用範囲を狭めない小型電子機器を提供する
　・「【００１１】このように構成された小型電子機器における信号処理は以下のように行われる。
イヤホン等の外部スピーカが接続されていないときは
増幅器１１を出た信号はＤＣカット回路１３，端子１５，端子１８及び端子１６を介して小型内部スピーカ１０に入力されるとともに周波数補正回路３０に入力される
増幅器１１から出力される信号の周波数特性が調整され，高音領域がカットされて低音領域が拡大された音声が内部スピーカ１０のみから出力される
外部スピーカが接続されると
増幅器１１の出力特性に基づいた音声信号が増幅器１１，ＤＣカット回路１３及び端子１５を介して外部スピーカ出力端子２０のみから出力される
【００１２】図２は実施例における信号の周波数特性を模式的に示したグラフであり，実線は周波数補正回路３０が作動していない場合，点線は周波数補正回路３０が作動している場合を示している。このように，
上記外部スピーカが接続されていないときは高音領域がカットされ，低音領域が拡大された音声が内部スピーカ１０から出力されており，耳障りな高音域のノイズが抑制され，かつ十分な低音域が得られる
前記外部スピーカが接続されているときは周波数補正回路３０が作動せず，増幅器１１の特性に基づいた信号がそのまま外部スピーカ出力端子２０から出力され，増幅器１１の特性を生かすことができる
　イ　引用文献３
　当審拒絶理由通知で引用された，原出願の出願日前に日本国内において頒布された刊行物である，特開平６−１１３３９０号公報（以下「引用文献３」という。）には，図１とともに，次の記載がある。 
　・「【００１０】
【発明が解決しようとする課題】しかしながら，上記のような構成では，
一旦スピーカ再生時にプリアンプ１１により補正された音質は，ヘッドホン再生に切り変わった場合には変化せず，ヘッドホン再生に切り換わった時点で再びヘッドホン用に調整し直す必要がある
　・「【００１５】図１は，本発明の第１の実施例における音響再生装置のブロック図である。図１において，
３は例えばスピーカの振幅周波数特性の補正を行う信号処理回路
１２−１，１２−２はヘッドホン再生時に信号処理回路３をバイパスさせるための切り換えスイッチ
５はヘッドホン端子２にヘッドホンジャックが挿入されたかどうかを判定し，その結果により切り換えスイッチ１２−１，１２−２の制御を行う判定回路
【００１６】図１を用いて本実施例についての動作を説明する。まず，ＣＤ等からの再生信号が入力端子１に入力され，その信号は切り換えスイッチ１２−１に入力される。
・・・
【００１８】もし，
ヘッドホン端子２にヘッドホンジャックが挿入されていなかった場合，切り換えスイッチ１２−１は信号処理回路３側に接続されているはずであるので，入力信号は信号処理回路３に入力され，ここでスピーカ再生固有の振幅周波数特性の補正等の処理が行われる
信号処理回路３の出力信号は切り換えスイッチ１２−２に入力され同様にしてスピーカ用パワーアンプ８を介して，スピーカ９により外部に再生される
ヘッドホン端子２にヘッドホンジャックが挿入されていた場合，入力信号は信号処理回路３をバイパスしてヘッドホン用パワーアンプ７を介してヘッドホン１０により外部に再生される
スピーカ固有の処理を行っている信号処理回路３を通ることなくヘッドホン再生が行われる
　・「【００２３】
【発明の効果】以上のように，本発明は，判定手段により
ヘッドホンが接続されたかどうかを自動的に判定し
りヘッドホン及びスピーカそれぞれの特有の処理を行うことにより，ヘッドホン及びスピーカ再生に最適な音響再生が可能となる
　ウ　引用文献４
　当審拒絶理由通知で引用された，原出願の出願日前に日本国内において頒布された刊行物である，特開平１０−３９８６９号公報（以下「引用文献４」という。）には，図１とともに，次の記載がある。 
　・「【要約】
【課題】  本発明は１つのパワーアンプを用いて，
スピーカから出力するときにはスピーカに適した周波数補正を行い，ヘッドホンジャックが挿入されると楽音の出力先をヘッドホンに切り換え，ヘッドホンに適した周波数補正を行うことにより，どちらの放音手段でも最適な周波数補正を行った楽音を聴くことのできる電子楽器を提供する
【解決手段】  本発明は，ヘッドホン及びスピーカを有する電子楽器において，
ヘッドホンジャックが挿入されると，前記ヘッドホンジャックが挿入されたことを検出する検出手段
検出結果を記憶する第１の記憶手段と，検出した結果に対応してパワーアンプにかける周波数補正値を記憶する第２の記憶手段と，第１の記憶手段の記憶するデータに基づき，前記第２の記憶手段からヘッドホンジャック挿入の有無に応じた周波数補正値を読み出す読出手段と，読み出された周波数補正値に基づきスピーカまたはヘッドホンから放音される音の周波数特性を補正する補正手段
　・「【００１３】
【発明の実施の形態】図１は，本発明に係る電子楽器の全体的な構成を示す概略ブロック図である。以下，図面を参照しながら，本発明の実施例について説明する。
【００１４】図において，１は操作パネル，２はＣＰＵ，３はＲＯＭ，４はＲＡＭ，５は鍵盤，６は鍵盤スキャン回路，７は音源，８は波形メモリである。また，９はＤ／Ａ変換器，
１０はイコライザ
１３はスピーカ
１４はヘッドホンジャック部，１６はヘッドホン
・・・
【００１８】なお，本発明においては，
ヘッドホンジャックのジャック部１４への挿入の有無に応じて検出されて検出データ記憶部３３に記憶されているデータを読み出してイコライザ１０に供給する
【００１９】・・・なお，本発明に直接関係する
スピーカ１３及びヘッドホン１６用のパワーアンプ１１を制御する周波数補正値は，該ＲＯＭ３の補正値記憶部３２に記憶されている
・・・
【００２１】また，該ＲＡＭ４には，検出データ記憶部３３が設けられており，
ヘッドホンジャック挿入の有無に関する情報は該検出データ記憶部３３に記憶されている
【００２２】これにより，該検出データ記憶部３３に記憶されているジャックのオン／オフに関するデータは，キーイベントがあった都度読出部３１により読み出され，
該データに基づいて補正値記憶部３２より出力先に応じた補正値が読み出されてイコライザ１０に送られ，常に最適な音質の音が発音される
　エ　引用文献５
　当審拒絶理由通知で引用された，原出願の出願日前に日本国内において頒布された刊行物である，特開２００４−６４１７２号公報（以下「引用文献５」という。）には，図１とともに，次の記載がある。 
　・「【０００４】
・・・この先行技術は，
ヘッドホンプラグがヘッドホンジャックに挿入されていない時には，スピーカに適した周波数補正を行った音声信号をスピーカに供給し，ヘッドホンプラグが挿入された場合には，これを検知して，出力先をヘッドホンに切り替え，ヘッドホンに適した周波数補正を行った音声信号をヘッドホンに供給するようにしたもの
【０００５】
この先行技術によれば，
ヘッドホンおよびスピーカに適した音質で再生するために，ＲＯＭに予め音質補正データを記憶しておき，ヘッドホン使用時およびスピーカ使用時にそれぞれ適した音質補正データを読み出し，いずれの場合であっても良好な音質で音楽信号を出力できる
　・「【００１０】
【発明の実施の形態】
図１は，本発明に係る音声再生装置の一実施形態を示すブロック図であり，テレビジョン受像機に応用した例を示している。以下，図面を参照しながら，本発明の実施形態について説明する。
【００１１】
図において，１はアンテナであり，このアンテナ１で受信したテレビジョン信号はチューナ２に入力される。このチューナ２ではマイコン３の制御のもとに任意のチャンネルが選局され，かつ音声信号及び映像信号の復調が行われる。
・・・
【００１４】
一方，前記音声信号Ｌ，Ｒは，オーディオ・プロセッサ７に供給される。
オーディオ・プロセッサ７はマイコン３の制御のもとに音質等の調整を行い，音質調整された音声信号Ｌ，Ｒはそれぞれ音声出力アンプ８，９を介して切り換え回路１０に供給される
【００１５】
この切り換え回路１０は，ヘッドホンジャック及びスイッチを有し，ヘッドホンジャックにヘッドホンプラグが挿入されていないときには音声信号Ｌ，Ｒをスピーカ１１，１２のみに出力し，ヘッドホンジャックにヘッドホンプラグが挿入されたときには音声信号Ｌ，Ｒをヘッドホン１３に出力する
切り換え回路１０には
検出回路１４が接続されており，ヘッドホンプラグ１３１の挿入時と非挿入時（抜去時）でそれぞれ異なる検出信号を前記マイコン３に供給する
・・・
【００１７】
前記オーディオ・プロセッサ７は，マイコン３の制御のもとに周波数補正を行い，音質設定が可能
その音質データがメモリ１５に記憶されている
前記ＲＯＭ１５１の第１の記憶領域には前記スピーカ１１，１２に適した音質データ（適正値）が予め記憶されており，第２の記憶領域には前記ヘッドホン１３に適した音質データ（適正値）が予め記憶されている
【００１８】
これら音質データは，マイコン３の制御のもとに前記検出回路１４の検出結果に応答して読み出され，
ヘッドホンプラグ１３１が挿入されていないときにはスピーカ１１，１２用の音質データが読み出され，ヘッドホンプラグ１３１が挿入されたときにはヘッドホン１３用の音質データが読み出され，マイコン３はこれら読み出されたデータを基にオーディオ・プロセッサ７を制御して，音質調整を行う
　オ　当該技術分野における周知技術
　上記アないしエから，音声信号に基づいて音を発する発音手段が，機器の内部又は外部において接続される電子機器において，当該電子機器に接続される上記発音手段の切り替えを検出すると，接続される上記発音手段の周波数特性に基づいて上記音声信号の周波数特性を調整し，上記発音手段として何を使用する場合でも，良好な音質で音声信号が出力されるようにすることは，引用文献２ないし５にみられるように，原出願の出願日前，当該技術分野では周知の技術といえる。
　
３　本願発明と引用発明との対比
（１）検討
　ア　引用発明における「オーディオ再生信号」，「オーディオ入力端子１５に入力されたオーディオ再生信号が音声に変換されて出力される」，「スピーカ１８」，「備える」，「外部スピーカシステム２００」，「セットされる」及び「携帯電話端末１００」は，それぞれ，本願発明の「音声信号」，「音声信号に基づいて音を発する」，「置き台側発音手段」，「有する」，「置き台」，「載置可能な」及び「電子機器」に相当するといえる。
　そうすると，引用発明は，本願発明における「音声信号に基づいて音を発する置き台側発音手段を有する置き台に載置可能な電子機器」に相当する構成を備えるということができる。
　イ　引用発明における「着信音，音楽データの再生音，受話音声などを出力する」及び「スピーカ８」は，それぞれ，本願発明の「音声信号に基づいて音を発する」及び「電子機器側発音手段」に相当するといえる。
　そうすると，引用発明は，本願発明における「前記電子機器は，音声信号に基づいて音を発する電子機器側発音手段を有し，」に相当する構成を備えるということができる。
　ウ　引用発明における「携帯電話端末１００」は，「外部スピーカシステム２００との電気的接続を検出していれば」，「オーディオ再生信号は上記外部スピーカシステム２００のスピーカ１８から出力される」ことは，本願発明の「前記置き台側発音手段で音を発する場合」に相当するといえる。
　また，引用発明における「携帯電話端末１００」は，「上記外部スピーカシステム２００との電気的接続を検出していなければ」，「そのオーディオ再生信号を上記携帯電話端末１００のスピーカ８に出力する」ことは，本願発明の「前記電子機器側発音手段で音を発する場合」に相当するといえる。
　そして，引用発明における「音楽データを外部スピーカ用の高音ボリューム値及び低音ボリューム値で再生してオーディオ再生信号を生成」すること，及び「音楽データを内部スピーカ用の高音ボリューム値及び低音ボリューム値で再生してオーディオ再生信号を生成」することは，いずれも，「オーディオ再生信号」の周波数特性を調整するものと認められるから，本願発明の「前記音声信号の周波数特性を調整する」ことに相当するといえる。
　そうすると，後述する相違点に係る構成を除き，本願発明と引用発明とは，「前記電子機器は，前記置き台側発音手段で音を発する場合と，前記電子機器側発音手段で音を発する場合とで」，「前記音声信号の周波数特性を調整する」点で共通するということができる。
　
（２）一致点及び相違点
　上記（１）から，本願発明と引用発明との一致点及び相違点は，それぞれ以下のとおりであると認められる。
　ア　一致点
「音声信号に基づいて音を発する置き台側発音手段を有する置き台に載置可能な電子機器であって，
　前記電子機器は，音声信号に基づいて音を発する電子機器側発音手段を有し，
　前記電子機器は，前記置き台側発音手段で音を発する場合と，前記電子機器側発音手段で音を発する場合とで，前記音声信号の周波数特性を調整する
電子機器。」
　イ　相違点
　一致点に係る構成の「前記電子機器は，前記置き台側発音手段で音を発する場合と，前記電子機器側発音手段で音を発する場合とで，前記音声信号の周波数特性を調整する」ことについて，本願発明では，「音質が近似するよう」にすると特定されているのに対し，引用発明では，上記の特定はされていない点。
　
４　相違点についての検討
　上記２（２）のとおり，音声信号に基づいて音を発する発音手段が，機器の内部又は外部において接続される電子機器において，当該電子機器に接続される上記発音手段の切り替えを検出すると，接続される上記発音手段の周波数特性に基づいて上記音声信号の周波数特性を調整し，上記発音手段として何を使用する場合でも，良好な音質で音声信号が出力されるようにすることは，引用文献２ないし５にみられるように，原出願の出願日前，当該技術分野では周知の技術である。
　そして，上記２（１）ア（ア）によれば，引用発明は，「音楽データの再生音を高音質で出力でき」るようにするとの目的及び効果を達成するものであるから，引用発明において，「オーディオ再生信号」（本願発明の「音声信号」に相当。）を「外部スピーカシステム２００」の「スピーカ１８」（本願発明の「置き台側発音手段」に相当。）から出力する場合，及び「携帯電話端末１００」の「スピーカ８」（本願発明の「電子機器側発音手段」に相当。）から出力する場合のいずれにおいても，良好な音質で「オーディオ再生信号」が出力されるようにすることは，当業者が当然に考慮するものである。
　してみれば，引用発明において，「音楽データを外部スピーカ用の高音ボリューム値及び低音ボリューム値で再生してオーディオ再生信号を生成」（本願発明の「前記音声信号の周波数特性を調整する」に相当。）する際には，上記「外部スピーカシステム２００」の「スピーカ１８」の周波数特性に基づいて「オーディオ再生信号」を生成し，また，「音楽データを内部スピーカ用の高音ボリューム値及び低音ボリューム値で再生してオーディオ再生信号を生成」（本願発明の「前記音声信号の周波数特性を調整する」に相当。）する際には，上記「携帯電話端末１００」の「スピーカ８」の周波数特性に基づいて「オーディオ再生信号」を生成して，発音手段としていずれを使用する場合でも，良好な音質で「オーディオ再生信号」が出力されるようにすることは，上記周知技術を適用することにより，当業者が容易に想到し得たものといえる。
　さらに，引用発明に上記周知技術を適用する際，音楽データを外部スピーカ用又は内部スピーカ用の高音ボリューム値及び低音ボリューム値で再生して，「オーディオ再生信号」を生成するにあたり，高音域が強調され低音域が欠けたものとなる周波数特性を有する発音手段については，当該周波数特性に基づいて，高音領域がカットされ低音領域が拡大されるように「オーディオ再生信号」を生成することは，引用文献２の記載（上記２（２）ア）にみられるように，当業者が普通に行い得るものである。
　そして，その結果，発音手段による「オーディオ再生信号」の音質の差異が小さくなり，発音手段が切り替わる際の聴者の違和感が抑制されることは明らかである。
　そうすると，引用発明に上記周知技術を適用する際に，「音楽データを外部スピーカ用の高音ボリューム値及び低音ボリューム値で再生してオーディオ再生信号を生成」する場合と，「音楽データを内部スピーカ用の高音ボリューム値及び低音ボリューム値で再生してオーディオ再生信号を生成」する場合とで，音質が近似するようにすること（相違点に係る構成とすること）は，当業者が普通に行い得るものである。
　以上から，引用発明において，相違点に係る構成とすることは，上記周知技術に基づいて，当業者が容易に想到し得たものである。
　
５　本願発明の作用効果について
　本願明細書の記載によれば，従来技術では，再生切り替え前の携帯電話機側におけるスピーカ等の再生装置から発せられる音の音質と，再生切り替え後のクレードル側におけるスピーカ等の再生装置から発せられる音の音質とが異なるため，ユーザ等の聴者に対して違和感を与える場合があるとの問題点があった（段落【０００６】）ので，本願発明は，発音手段を有する置き台に載置可能な周波数調整手段を有する電子機器であって，周波数調整手段で周波数特性を調整した音声信号を置き台に出力することで，電子機器から発せられる音の音質と置き台から発せられる音の音質との差異を小さくした電子機器を提供することを目的とし（段落【０００７】），音の出力が電子機器側から置き台側へ切り替わる際における音質の変化による違和感を抑制する電子機器を提供することができる（段落【００１６】）との効果を奏するようにしたものである。
　しかし，上記４より，本願発明の上記の目的及び効果は，引用発明に上記周知技術を適用することにより，当業者が容易に予測し得るものと認められる。
　以上から，本願発明の上記の目的及び効果は，格別のものとはいえない。
　
６　小括
　したがって，本願の請求項１に係る発明（本願発明）は，引用文献１記載の発明（引用発明），及び引用文献２ないし５にみられるような周知技術に基づいて，当業者が容易に発明をすることができたものであり，特許法第２９条第２項の規定により，特許を受けることができないものである。
　
第３　結言
　
　以上検討したとおり，本願の請求項１に係る発明は，特許法第２９条第２項の規定により特許を受けることができないから，その余の請求項について検討するまでもなく，本願は拒絶されるべきものである。
　
　よって，結論のとおり審決する。